(57)【要約】【課題】少しだけ奥に押すだけで自動的に引出すことができるスライドレールの自動引出し機構及び該自動引出し機構を用いた引出し装置を提供すること。【解決手段】スライドレールを引込み方向に移動させることにより、プッシュロック機構１０は反転機構２０の第１アーム２２を押圧して、該反転機構２０を回動させると共に自らは圧縮バネを圧縮してロック状態となり、更に押圧すると該反転機構２０は所定角度まで自動的に回動して該第１アーム２２はプッシュロック機構１０から離間し、更に引込み方向に押圧すると、プッシュロック機構１０は静止側の所定位置に配置された突き当て部材に当接し、圧縮バネは圧縮力を受けてロックが解放され、その弾発力で該突き当て部材を押圧し、その反作用としてプッシュロック機構１０は引出し方向に移動し、該プッシュロック機構１０は反転機構２０の第２アーム２３に追突し、該反転機構２０を元の位置に反転させる。【選択図】      図１
2004154322.tif 000002
【特許請求の範囲】
【請求項１】
スライドレールと連動して移動するプッシュロック機構と、静止側に支点軸を介して回動自在に支持された反転機構を具備し、
前記プッシュロック機構は圧縮バネを有し、該圧縮バネに圧縮力を加え圧縮した状態でロックがかかり、再び圧縮力を加えることにより該ロックが解放される構成であり、
前記反転機構は少なくとも第１及び第２の２本のアームを有し、所定方向に所定角回動するとそれから先は所定回動位置まで自動的に回動する構成であり、
前記スライドレールを引込み方向に移動させることにより、前記プッシュロック機構は前記反転機構の第１アームを押圧して、該反転機構を回動させると共に自らは圧縮バネを圧縮してロック状態となり、更に押圧すると該反転機構は前記所定角度まで自動的に回動して該第１アームは前記プッシュロック機構から離間し、
前記スライドレールを更に引込み方向に押圧することにより、前記プッシュロック機構は静止側の所定位置に配置された突き当て部材に当接し、前記圧縮バネは圧縮力を受けて前記ロックが解放され、その弾発力で該突き当て部材を押圧し、その反作用として前記スライドレール及びプッシュロック機構は引出し方向に所定量移動し、該プッシュロック機構は前記反転機構の第２アームに追突し、該反転機構を元の位置に反転させることを特徴とするスライドレールの自動引出し機構。
【請求項２】
請求項１に記載のスライドレールの自動引出し機構において、
前記反転機構の第１アーム及び第２アームのそれぞれ先端部に回転自在にローラが設けられ、前記プッシュロック機構は該ローラに当接するようになっていることを特徴とするスライドレールの自動引出し機構。
【請求項３】
請求項１又は２に記載のスライドレールの自動引出し機構において、
前記反転機構の第１アームの所定位置には静止側の所定位置に一端が係止されたコイルバネの他端が係止され、該反転機構は前記所定角を境として相反する回動方向に付勢されていることを特徴とするスライドレールの自動引出し機構。
【請求項４】
請求項１乃至３のいずれか１項に記載のスライドレールの自動引出し機構において、
前記反転機構の第２アームは、その一端が前記第１アームの端部に回動自在に支持され、且つコイルバネにより該第１アームに接近する方向に付勢されていることを特徴とするスライドレールの自動引出し機構。
【請求項５】
請求項１乃至４のいずれか１項に記載のスライドレールの自動引出し機構において、
前記プッシュロック機構はシリンダと、該シリンダ内に収容された圧縮バネと、該圧縮バネを押圧するロッドと、該ロッドを該シリンダに係止するロック機構を具備し、該ロッドに押圧力を加え解放することにより、該ロック機構により該ロッドが該シリンダに係止され、更にロッドに押圧力を加え解放することにより該係止が解除される構成であることを特徴とするスライドレールの自動引出し機構。
【請求項６】
本体側にスライドレールを介して収納自在に引出しを設けた引出し装置において、
前記スライドレールに前記請求項１乃至５のいずれか１項に記載の自動引出し機構を設けたことを特徴とする引出し装置。
【発明の詳細な説明】
【０００１】
【発明の属する技術分野】
本発明は、スライドレールの自動引出し機構に関し、例えば引出しに取り付けられ、引出しが収納される際にバネを圧縮し、収納状態において引出しを少し奥に押し込むことによって、該バネの伸張力（弾発力）を利用して自動的に引出しを所定寸法だけ引出すことのできるスライドレールの自動引出し機構及び該自動引出し機構を用いた引出し装置に関するものである。
【０００２】
【従来の技術】
従来、家具やシステムキッチンに用いられる引出しにおいて、引出しを収納する際に確実に収納するために引込み機構を組み込んだものが知られている（例えば特許文献１参照）。このタイプの引出しには、引出しを家具本体との間で支持案内するのにスライドレールが利用されている。そして、このスライドレールに引き込み機構を持たせて、該引き込み機構により引出しを収納する際、引出しが所定位置（収納終端近傍の所定位置）まで収納されたら自動的に引き込み収納を確実にされるようになっている。
【０００３】
上記のように引出しを収納する際、引出しを確実に収納させるために、引き込み機構を設けたものは知られているが、引出しを引出す際、その前面板を少し奥に押すだけで自動的に所定寸法だけ引出すようにしたものがなかった。このように引出しの前面板を少し奥に押すだけで自動的に引出すようにすることは、身体の不自由な人にとって操作が容易となるだけではなく、引出しの前面板に取っ手を取り付ける必要が無くなり、美観上も優れたものとなる。
【０００４】
【特許文献１】
特公平５−２３７６３号公報
【０００５】
【発明が解決しようとする課題】
本発明は上述の点に鑑みてなされたもので、簡単な構成で例えば、引出しに用いた場合、引出しを引出す際に、少しだけ奥に押すだけで自動的に引出すことができるスライドレールの自動引出し機構及び該自動引出し機構を用いた引出し装置を提供することを目的とする。
【０００６】
【課題を解決するための手段】
上記課題を解決するため請求項１に記載の発明は、スライドレールと連動して移動するプッシュロック機構と、静止側に支点軸を介して回動自在に支持された反転機構を具備し、プッシュロック機構は圧縮バネを有し、該圧縮バネに圧縮力を加え圧縮した状態でロックがかかり、再び圧縮力を加えることにより該ロックが解放される構成であり、反転機構は少なくとも第１及び第２の２本のアームを有し、所定方向に所定角回動するとそれから先は所定回動位置まで自動的に回動する構成であり、スライドレールを引込み方向に移動させることにより、プッシュロック機構は反転機構の第１アームを押圧して、該反転機構を回動させると共に自らは圧縮バネを圧縮してロック状態となり、更に押圧すると該反転機構は所定角度まで自動的に回動して該第１アームはプッシュロック機構から離間し、スライドレールを更に引込み方向に押圧することにより、プッシュロック機構は静止側の所定位置に配置された突き当て部材に当接し、圧縮バネは圧縮力を受けてロックが解放され、その弾発力で該突き当て部材を押圧し、その反作用としてスライドレール及びプッシュロック機構は引出し方向に所定量移動し、該プッシュロック機構は反転機構の第２アームに追突し、該反転機構を元の位置に反転させることを特徴とする。
【０００７】
上記のようにスライドレールと連動して移動するプッシュロック機構、静止側に支点軸を介して回動自在に支持された反転機構を具備することにより、スライドレールを引込んだ後、引込み方向に押圧するだけで、プッシュロック機構の圧縮バネの圧縮エネルギーの解放により、スライドレールを自動的に所定量引出すことができる。
【０００８】
請求項２に記載の発明は、請求項１に記載のスライドレールの自動引出し機構において、反転機構の第１アーム及び第２アームのそれぞれ先端部に回転自在にローラが設けられ、プッシュロック機構は該ローラに当接するようになっていることを特徴とする
【０００９】
上記のように反転機構の第１アーム及び第２アームのそれぞれ先端部に回転自在にローラを設けることにより、スライドレールの引込み及び引出しに際して、プッシュロック機構の反転機構の各アームへの当接、摺動及び離間が滑らかとなると共に、これら当接、摺動及び離間に際して騒音等を発することがない。
【００１０】
請求項３に記載の発明は、請求項１又は２に記載のスライドレールの自動引出し機構において、反転機構の第１アームの所定位置には静止側の所定位置に一端が係止されたコイルバネの他端が係止され、該反転機構は所定角を境として相反する回動方向に付勢されていることを特徴とする。
【００１１】
上記のように反転機構はコイルバネにより所定角を境として相反する回動方向に付勢されるので、簡単な構成で反転機構を反転回動させることができる。
【００１２】
請求項４に記載の発明は、請求項１乃至３のいずれか１項に記載のスライドレールの自動引出し機構において、反転機構の第２アームは、その一端が第１アームの端部に回動自在に支持され、且つコイルバネにより該第１アームに接近する方向に付勢されていることを特徴とする。
【００１３】
反転機構の第２アームは、その一端が第１アームの端部に回動自在に支持され、且つコイルバネにより第１アームに接近する方向に付勢されているので、プッシュロック機構が第２アームに当接する際の衝撃力を吸収すると共に、第２アームに当接しプッシュロック機構の外側に当接し移動する場合も滑らかとなる。
【００１４】
請求項５に記載の発明は、請求項１乃至４のいずれか１項に記載のスライドレールの自動引出し機構において、プッシュロック機構はシリンダと、該シリンダ内に収容された圧縮バネと、該圧縮バネを押圧するロッドと、該ロッドを該シリンダに係止するロック機構を具備し、該ロッドに押圧力を加え解放することにより、該ロック機構により該ロッドが該シリンダに係止され、更にロッドに押圧力を加え解放することにより該係止が解除される構成であることを特徴とする。
【００１５】
プッシュロック機構に上記構成を採用することにより、簡単な構成で圧縮バネの圧縮エネルギーの保持解放が可能なプッシュロック機構が実現できる。また、このような構成のプッシュロック機構は市販品として市場に出ているから、このような市販品を利用することができる。
【００１６】
請求項６に記載の発明は、本体側にスライドレールを介して収納自在に引出しを設けた引出し装置において、スライドレールに請求項１乃至５のいずれか１項に記載の自動引出し機構を設けたことを特徴とする。
【００１７】
上記のように引出し装置のスライドレールに請求項１乃至５のいずれか１項に記載の自動引出し機構を設けることにより、引出しの前面板を押すだけで、簡単に引出すことができ、特に身体の不自由な人にとって、単に押すだけで引出すことができるから引出し操作が容易となる。また、引出しの前面板に取っ手を設ける必要がなく、複数の引出しの前面と本体の前面を同一平面とすることが可能となるから、美観上も優れたものとなる。
【００１８】
【発明の実施の形態】
以下、本発明の実施の形態例を図面に基づいて説明する。図１は本発明に係るスライドレールの自動引出し機構の構成を示す図である。本自動引出し機構は、図示するようにプッシュロック機構１０と反転機構２０を具備する。
【００１９】
プッシュロック機構１０はプッシュロック部１１と該プッシュロック部１１に取り付けた略Ｊ字状のガイド部材１２を具備する。プッシュロック部１１はロッド１３とシリンダ１４を具備し、シリンダ１４の内部には図示しない圧縮バネ及びロッドをシリンダに係止したり解放したりするロック機構が収納されている。そして図２（ａ）の実線で示すように、ロッド１３がシリンダ１４から所定量突き出た状態で、該ロッド１３に矢印Ａに示す方向の力を加えると、上記圧縮バネは圧縮され、ロッド１３はシリンダ１４内に押し込まれ、点線で示す位置でロック機構によりロッド１３はシリンダ１４に係止されてロックされる。このロックされた状態で、図２（ｂ）に示すように、ロッド１３に矢印Ｂに示す方向の力を加えるとロッド１３とシリンダ１４の係止は外れ、ロックは解除される。このロック解除により圧縮バネの圧縮エネルギーは解放されロッド１３は点線で示すように突き出る。このプッシュロック部１１には市販されている公知のものを用いることができる。
【００２０】
反転機構２０は静止側に取り付けられた支点軸２１を中心に回動自在に設けられた略逆Ｌ字状の第１アーム２２と、略Ｌ字状の第２アーム２３を具備し、第２アーム２３の一端は第１アーム２２の一方のアーム２２−１の端部に支点軸２４を中心に回動自在に取り付けられている。第１アーム２２の他方のアーム２２−２にはバネ２５の一端２５ａが係止され、該バネ２５の他端２５ｂは静止側に係止されている。また、第１アーム２２のアーム２２−１にはバネ２６の一端２６ａが係止され、該バネ２６の他端２６ｂは第２アーム２３に係止されている。第１アーム２２のアーム２２−２の先端には回転自在に例えば樹脂製ローラ２７が設けられ、第２アーム２３の先端にも例えば樹脂製ローラ２８が回転自在に設けられている。
【００２１】
上記構成の自動引出し機構を家具やシステムキッチンの引出し装置に使用する場合を説明する。プッシュロック機構１０は家具やシステムキッチン等の本体に対してスライドレール（図示せず）で収納自在に設けられた引出し側に取り付けられ、反転機構２０は本体側（静止側）に支点軸２１を中心に回動自在に取り付けられている。次にこの自動引出し機構の動作を図３乃至図８を用いて説明する。
【００２２】
先ず引出されている引出しを収納する際、引出しを収納する方向、即ち引込み方向（図３（ａ）の矢印Ｃ方向）に押し、収納終端部に近づくと、図３（ａ）に示すように、プッシュロック部１１のロッド１３が反転機構２０のローラ２７に当接する（このときプッシュロック部１１のロッド１３は図２（ａ）の実線に示すようになっている）。この状態で引出しを矢印Ｃ方向に押すと、ロッド１３は反転機構２０のローラ２７を押すから反転機構２０の第１アーム２２は支点軸２１を中心に図３（ｂ）に示すように時計方向に回動する。このとき第２アーム２３のローラ２８がブッシュロック機構１０のガイド部材１２に当接し、第１アーム２２の支点軸２１を中心とする回動は阻止される。
【００２３】
図３（ｂ）の状態から引出しを矢印Ｃ方向に押すと、プッシュロック部１１のロッド１３が反転機構２０のローラ２７に押され、シリンダ１４内の圧縮バネが圧縮しながら、図４（ｃ）に示すようにシリンダ１４内に後退する。この状態から引出しを矢印Ｃ方向に更に押すと、反転機構２０の第２アーム２３のローラ２８が図４（ｄ）に示すようにガイド部材１２の後端部に達し、第２アーム２３は支点軸２４を中心にバネ２６の引っ張り力に抗して反時計方向に回動すると共に、第１アーム２２はロッド１３に押され支点軸２１を中心にバネ２５の引っ張り力に抗して時計方向に回動し始める。
【００２４】
図４（ｄ）の状態から引出しを矢印Ｃ方向に更に押すと、第１アーム２２はロッド１３に押され図５（ｅ）に示すように支点軸２１を中心にバネ２５の引っ張り力に抗して時計方向に回動する。この状態から引出しを矢印Ｃ方向に更に押すと、第１アーム２２は更に回動し、そのローラ２７は図５（ｆ）に示すようにロッド１３から外れると共に、バネ２５の位置が支点軸２１の位置に達する。
【００２５】
図５（ｆ）の状態から引出しを矢印Ｃ方向に更に押すと、第１アーム２２は更に回動し、図６（ｇ）に示すようにバネ２５の位置が支点軸２１の位置を越える位置に達する。これにより、第１アーム２２は支点軸２１を中心にバネ２５の引っ張り力により、図６（ｈ）の位置まで回動する。これにより引出しは所定の収納位置に達すると共に、プッシュロック部１１のシリンダ１４内のバネは圧縮された状態を維持した状態となる。このとき、第１アーム２２のアーム２２−２の先端及び第２アーム２３の先端に樹脂製ローラ２７、２８を回転自在に設けたことにより、引出しの収納（引込み）及び引出しに際して、プッシュロック機構１０のロッド１３やガイド部材１２が樹脂製ローラ２７、２８に当接、摺動及び離間することになるから、これら当接、摺動及び離間動作が滑らかで騒音等を発することがない。
【００２６】
上記のように引出しを収納した状態では、自動引出し機構は図６（ｈ）の状態となる。この状態から引出しを引出すためには、図７（ａ）の状態から引出しを矢印Ｃ方向に押すと、図７（ｂ）に示すように、プッシュロック部１１のロッド１３が本体側（静止側）の所定位置に設けられた突き当て部材３０に当接する。この状態から引出しを矢印Ｃ方向に更に押すと、図２（ａ）、（ｂ）に示すように、プッシュロック部１１のロッド１３のロックが外れ、ロッド１３はシリンダ１４内のバネの弾発力に押され、シリンダ１４から突出して、突き当て部材３０に衝突する。
【００２７】
上記ロッド１３の突出力の反作用により、引出し、即ちプッシュロック機構は矢印Ｃ方向とは反対方向に押される。これにより、図８（ｃ）の矢印Ｄ方向に押され、ガイド部材１２の後端部がローラ２８に追突する。これにより、第１アーム２２は支点軸２１を中心に反時計方向に回動し、図８（ｄ）の状態になる。この状態で、引出しの前面は本体側の前面から所定寸法突き出た状態、即ち所定寸法引出した状態となる。この時上記のように第２アーム２３と第１アーム２２の間のバネ２６を設け、第２アームの先端に樹脂製のローラ２８を設けたことにより、ガイド部材１２が追突時の衝撃が緩和され、滑らかな動きとなり、摩擦音等の発生はない。
【００２８】
上記例では自動引出し機構を、引出しと本体の間に設け引出しを支持するスライドレールに設けた場合を例に説明したが、本発明に係る自動引出し機構に限定されるものではなく、図９に示すように、固定側レール４１と移動側レール４２を具備するスライドレール４０の移動側レール４２にブラケット４３を介してプッシュロック機構１０を設け、固定側の所定位置に反転機構２０を設ける構成としてもよい。そして移動側レール４２を引き込み方向に移動して、上記のように反転機構２０を反転させてスライドレール４０を引き込んだ後、移動側レール４２を引き込み方向に押圧して解放することにより、ロック解除されたプッシュロック部１１の圧縮バネの弾発力により、突き当て部材３０を押圧し、その反作用によりスライドレール４０を引出すようにしてもよい。
【００２９】
なお、引出しと本体の間にスライドレールを有する引出し装置においては、プッシュロック機構１０を引出しに取り付けた移動側レールに取り付けてもよいし、引出しに取り付けてもよい。要は引出しに取り付けた移動側レールに連動して移動できればよい。また、第１アーム２２及び第２アーム２３に設けたローラ２７、２８は必ずしも必要なものではなく、例えばプッシュロック機構１０のロッド１３やガイド部材１２の当接、摺接動作等が滑らかに行われる材料で、ロッド１３、ガイド部材１２、第１アーム２２、第２アーム２３の少なくとも当接、摺接部が構成される場合はローラ２７、２８は必要ない。
【００３０】
また、引出し装置に引出しの引込み機構を組み込んでいる場合、引出し機構の引込み力を用いてプッシュロック機構１０のロッド１３を押圧して圧縮バネを圧縮するようにすれば、操作者が意識することなく、プッシュロック部１１の圧縮バネを圧縮しロックすることが可能となる。
【００３１】
また、プッシュロック機構及び反転機構も上記構成に限定されるものではなく、請求項１に記載の発明の技術範囲において変形は可能である。
【００３２】
【発明の効果】
以上、説明したように各請求項に記載の発明によれば下記のような優れた効果が得られる。
【００３３】
請求項１に記載の発明によれば、スライドレールと連動して移動するプッシュロック機構、静止側に支点軸を介して回動自在に支持された反転機構を具備することにより、スライドレールを引込んだ後、引込み方向に押圧するだけで、プッシュロック機構の圧縮バネの圧縮エネルギーの解放により、スライドレールを自動的に所定量引出すことができるスライドレールの自動引出し機構を提供できる。
【００３４】
請求項２に記載の発明によれば、反転機構の第１アーム及び第２アームのそれぞれ先端部に回転自在にローラを設けることにより、スライドレールの引込み及び引出しに際して、プッシュロック機構の反転機構の各アームへの当接、摺動及び離間が滑らかとなると共に、これら当接、摺動及び離間に際して騒音等を発することがないスライドレールの自動引出し機構を提供できる。
【００３５】
請求項３に記載の発明によれば、反転機構はコイルバネにより所定角を境として相反する回動方向に付勢されるので、簡単な構成で反転機構を反転回動させることができる。
【００３６】
請求項４に記載の発明によれば、反転機構の第２アームは、その一端が第１アームの端部に回動自在に支持され、且つコイルバネにより第１アームに接近する方向に付勢されているので、プッシュロック機構が第２アームに当接する際の衝撃力を吸収すると共に、第２アームに当接しプッシュロック機構の外側に当接し移動する場合も滑らかとなる。
【００３７】
請求項５に記載の発明によれば、簡単な構成で圧縮バネの圧縮エネルギーの保持解放が可能なプッシュロック機構が実現できる。また、このような構成のプッシュロック機構は市販品として市場に出ているから、このような市販品を利用することができる。
【００３８】
請求項６に記載の発明によれば、引出し装置のスライドレールに請求項１乃至５のいずれか１項に記載の自動引出し機構を設けることにより、引出しの前面板を押すだけで、簡単に引出すことができ、特に身体の不自由な人にとって、単に押すだけの簡単な操作で引出すことができる引出し装置を提供できる。また、引出しの前面板に取っ手を設ける必要がなく、複数の引出しの前面と本体の前面を同一平面とすることが可能となるから、美観上も優れた引出し装置を提供できる。
【図面の簡単な説明】
【図１】本発明に係るスライドレールの自動引出し機構の構成例を示す図である。
【図２】プッシュロック機構のプッシュロック部の外観動作を示す図である。
【図３】本発明に係るスライドレールの自動引出し機構の動作を説明するための図である。
【図４】本発明に係るスライドレールの自動引出し機構の動作を説明するための図である。
【図５】本発明に係るスライドレールの自動引出し機構の動作を説明するための図である。
【図６】本発明に係るスライドレールの自動引出し機構の動作を説明するための図である。
【図７】本発明に係るスライドレールの自動引出し機構の動作を説明するための図である。
【図８】本発明に係るスライドレールの自動引出し機構の動作を説明するための図である。
【図９】本発明に係るスライドレールの自動引出し機構の構成例を示す図である。
【符号の説明】
１０            プッシュロック機構
１１            プッシュロック部
１２            ガイド部材
１３            ロッド
１４            シリンダ
２０            反転機構
２１            支点軸
２２            第１アーム
２３            第２アーム
２４            支点軸
２５            バネ
２６            バネ
２７            ローラ
２８            ローラ
３０            突き当て部材
４０            スライドレール
４１            固定側レール
４２            移動側レール
４３            ブラケット
【図１】
2004154322.tif 000003
【図２】
2004154322.tif 000004
【図３】
2004154322.tif 000005
【図４】
2004154322.tif 000006
【図５】
2004154322.tif 000007
【図６】
2004154322.tif 000008
【図７】
2004154322.tif 000009
【図８】
2004154322.tif 000010
【図９】
2004154322.tif 000011